(57)【要約】【課題】トランプカードの感覚で４種類の宝くじの当せん数字を予想することができるので、楽しみながら予想するこができるし、カードに天地がないので、取扱いの面倒がない数字選択式宝くじ用カードを提供する。【解決手段】４３枚の数字選択式宝くじ用カード１は、４３枚のカード本体２からなる。各カード本体２はトランプカードと同様の基材でトランプカードと略同形に成形してある。各カード本体２の表面２Ａには、対角線上に位置する左上隅と右下隅に１〜４３の連続数字からなるロト選択数字３が対に表してある。全てのロト選択数字３は□枠４で囲った表示態様に表してロト選択数字３であることを示している。各カード本体２の右上隅と左下隅には、０〜９を１組とするナンバーズ選択数字６が他の組と表示態様を異にして表してある。【選択図】  図１
0003139998.tif 000002
【実用新案登録請求の範囲】
【請求項１】
偶然によって決定される６個又は５個の数字を予測するための１〜４３の連続するロト選択数字の各々を、４３枚のカード本体の各々の表面一側に共通する表示態様で表し、偶然によって決定される４個又は３個の数字を予測するための０〜９の連続するナンバーズ選択数字を一組とし、４組の該ナンバーズ選択数字の各組の各々の数字を前記カード本体の表面他側に前記ロト選択数字の表現態様及び他の３組の表示態様と異なる表現態様で表すことにより構成した宝くじ用カードからなり、前記ロト選択数字については、４３枚の宝くじ用カードの中から選択した６枚又は５枚のカードに表記の数字を予測した数字とし、前記ナンバーズ選択数字については、表示態様が異なる各組１０枚、４組４０枚又は３組３０枚の宝くじ用カードの中から各組毎に１枚ずつ選択した４枚又は３枚の宝くじ用カードに表記の数字を予測した数字とする数字選択式宝くじ用カード。
【請求項２】
前記ロト選択数字及びナンバーズ選択数字の各々は、前記各カード本体の表面の対角線上に対をなして表してあることを特徴する請求項１記載の数字選択式宝くじ用カード。
【請求項３】
前記カード本体の各々の表面の余白部分は、情報表示スペースにしてあることを特徴とする請求項１記載の数字選択式宝くじ用カード。
【請求項４】
前記カード本体の各々の裏面は、情報表示スペースにしてあることを特徴とする請求項１記載の数字選択式宝くじ用カード。
【考案の詳細な説明】
【技術分野】
【０００１】
本考案は、ロトシックス（以下、ロト６とする。）ミニロト、ナンバーズフォー（以下、ナンバーズ４とする。）、ナンバーズ  スリー（以下、ナンバーズ３とする。）の名称で呼ばれている数字選択式宝くじの抽せん数字をカードゲームの感覚で予想することのできる数字選択式宝くじ用カードに関する。
【背景技術】
【０００２】
ロト６、ミニロト、ナンバーズ４、及びナンバーズ３の数字選択式宝くじは、偶然によって抽せん数字を決める宝くじであり、くじの予想者は各自のやり方、考え方で当せん数字を選択することによって当せん数字を予測し、またこの予想する過程を楽しむ宝くじでもある。
【０００３】
しかし、当せん数字を予想する者にとって数字の選択は迷うものであり、徒に時間を使ってしまったり、前回と同じ数字を選択したりしている。そこで、当せん数字を電子的に予測する電子式予想器、カード型の予想具などが提案されている。例えば、トランプカードに数字選択式宝くじ、競馬、競輪、ｔｏｔｏサッカーくじなど、様々なくじの当り数字、競馬などにおける枠番、馬番数字の予想ができるようにした予想兼用トランプカードが提案されている（特許文献１）。
【特許文献１】特開２００６−２９７００８号公報
【考案の開示】
【考案が解決しようとする課題】
【０００４】
しかし、特許文献１に示すものは、従来のトランプカードの表面を斜め半分に区切り、トランプカード部分と、各種くじやギャンブルの選択数字部分を表して構成したもので、個々のカード本体に天地の方向があるために、シャッフルの失敗などで天地が逆になったカードが混在する事態も起き、予想する際に面倒であるし、カードを慎重に取扱わなければならないという心理的負担を与える欠点がある。
しかも、これら予想具は、宝くじの広告宣伝のための販促商品として配布したりするものでもあり、予想者にとって取扱いが面倒な点は予想具として大きなマイナスである。
【０００５】
本考案は上述した従来技術の欠点に鑑みなされたもので、トランプカードの感覚で４種類の宝くじの当せん数字を予想することができるので、楽しみながら予想するこができるし、カードに天地がないので、取扱いの面倒がない数字選択式宝くじ用カードを提供することを目的とする。
【課題を解決するための手段】
【０００６】
上述した課題を解決するために構成された本考案の手段は、偶然によって決定される６個又は５個の数字を予測するための１〜４３の連続するロト選択数字の各々を、４３枚のカード本体の各々の表面一側に共通する表示態様で表し、偶然によって決定される４個又は３個の数字を予測するための０〜９の連続するナンバーズ選択数字を一組とし、４組の該ナンバーズ選択数字の各組の各々の数字を前記カード本体の表面他側に前記ロト選択数字の表現態様及び他の３組の表示態様と異なる表現態様で表すことにより構成した宝くじ用カードからなり、前記ロト選択数字については、４３枚の宝くじ用カードの中から選択した６枚又は５枚のカードに表記の数字を予測した数字とし、前記ナンバーズ選択数字については、表示態様が異なる各組１０枚、４組４０枚又は３組３０枚の宝くじ用カードの中から各組毎に１枚ずつ選択した４枚又は３枚の宝くじ用カードに表記の数字を予測した数字とするものからなる。
【０００７】
そして、前記ロト選択数字及びナンバーズ選択数字の各々は、前記各カード本体の表面の対角線上に対をなして表した構成にするとよい。
【０００８】
また、前記カード本体の各々の表面の余白部分は、情報表示スペースにするとよい。
【０００９】
更に、前記カード本体の各々の裏面は、情報表示スペースにするとよい。
【考案の効果】
【００１０】
本考案は上述の如く構成したから、下記の諸効果を奏する。
（１）４３枚のカードにより、６個〜３個の当せん数字を予想するので、使用者は当せん数字の選択をゲーム感覚で楽しむことができるし、当せん数字の予想を選んだカードに委ねるので、迷うことなく数字を決めることができる。
（２）数字選択式宝くじは偶然によって決定される抽せん数字によって当せんが決まり、抽選数字に確率がない宝くじであるが、本考案の宝くじ用カードも４３枚のカード中から偶然の方法により当せん数字を予想するので、予想者は納得して使用することができる。
（３）カード本体の表面に、対角線上に位置してロト選択数字及びナンバーズ選択数字を対に表して構成してあり、カードに天地がないので予想者は面倒なく、また気を使うことなく取扱うことができる。
（４）カード本体の表面及び裏面は情報表示スペースとしてあるから、宝くじの申し込み方法、スポンサーや金融機関の広告、格言、キャッチフレーズなど種々の情報を表示することができ、情報伝達手段としても機能することができる。
【考案を実施するための最良の形態】
【００１１】
以下、本考案の実施の形態を図面に基づき詳述する。図１において、1、1、1、・・・は４３枚の数字選択式宝くじ用カード（以下、カード１と略称する。）で、該カード１は、４３枚のカード本体２からなり、該各カード本体２はトランプカード同様の基材である上質の硬質紙やプラスチックによって、トランプカードと略同形に成形してある。３、３、・・・は該各カード本体２の表面２Ａに、対角線上に位置する左上隅と右下隅に対に表した１〜４３の連続数字からなるロト選択数字で、全てのロト選択数字３は□枠の表示態様４で囲って表すことにより、一連の数字がロト選択数字３であることを示している。
【００１２】
６、６、・・・は、前記４３枚のカード本体２のうちの１０枚のカード本体２の表面２Ａに、対角線上に位置する右上隅と左下隅に対に表した０〜９の連続数字からなる１組のナンバーズ選択数字で、該各ナンバーズ選択数字６は○枠の表示態様７で囲って表すことにより、一連の数字が第１の組のナンバーズ選択数字６であることを示している。
【００１３】
また、８、８、・・・は、４３枚のカード本体２のうちの他の１０枚のカード本体２の表面２Ａに、前記１組のナンバーズ選択数字６と同様の位置に対に表した０〜９の連続番号からなる１組のナンバーズ選択数字で、該各ナンバーズ選択数字８は△枠の表示態様９で囲って表すことにより、一連の数字が第２の組のナンバーズ選択数字８であることを示している。
【００１４】
同様にして、１０、１０、・・・は４３枚のカード本体２のうちの更に他の１０枚のカード本体２の表面２Ａに、第１の組のナンバーズ選択数字６と同様の位置に対に表した０〜９の連続番号からなる１組のナンバーズ選択数字で、該各ナンバーズ選択数字１０は◇枠の表示態様１１で囲って表すことより、一連の数字が第３の組のナンバーズ選択数字１０であることを示している。
【００１５】
更に、１２、１２、・・・は４３枚のカード本体２のうちの更に他の１０枚のカード本体２の表面２Ａに、第１の組のナンバーズ選択数字６と同様の位置に対に表した０〜９の連続番号からなる１組のナンバーズ選択数字で、該各ナンバーズ選択数字１２は☆枠の表示態様１３で囲って表すことにより、一連の数字が第４の組のナンバーズ選択数字１２であることを示している。
【００１６】
１４は４３枚のカード本体２のロト選択数字３の下側に表したロト６表示（カード本体２にはロトシックスと表示）で、該ロト６表示１４は上の番号がロト６選択数字であることを明示している。１５は該ロト６表示１４の下側に表したミニロト表示で、該ミニロト表示１５は１〜３１までのロト選択数字を表した各カード本体２に表してある。また、１６は４組のカード本体２の各々のナンバーズ選択数字６、８、１０、１２の下側に表したナンバーズ４表示（カード本体２にはナンバーズ  フォーと表示）、１７は３組のカード本体２の各々のナンバーズ選択数字６、（８、１０、１２）について、ナンバーズ４表示１６の下側に表したナンバーズ３表示（カード本体２にはナンバーズ  スリーと表示）である。
【００１７】
そして、これら各表示１４、１５、１６、１７によって、４３枚のカード１の全てがロト６用のカード１、３１枚のカード１がミニロト用のカード１、４０枚のカード１がナンバーズ４用のカード１、そして、３０枚のカード１がナンバーズ３用のカード１であることを容易に、また正確に知ることができる。
【００１８】
１８は、各カード本体２の表面２Ａの略中央に設けた情報表示スペースで、該情報表示スペース１８は例えば数字選択式宝くじを扱う金融機関名、販売期間中でのイベントの案内、人生の格言など種々の情報を表示するスペースとして利用している。また、各カード本体２の裏面（但し、図示せず。）も、くじの説明、広告、或いはキャッチフレーズを表示する情報表示スペースとしてある。
【００１９】
かくして、本実施の形態に係る数字選択式宝くじ用カード１は４３枚で構成してあり、ロト６の選択数字の予想には１〜４３の選択数字の４３枚の全てのカード１を使用し、ミニロトの選択数字の予想には１〜３１の選択数字の３１枚のカード１を使用する。また、ナンバーズ４の選択数字の予想には、０〜９の選択数字を１組とする４組４０枚のカード１を使用するので、３枚のカード１はナンバーズ選択数字の箇所は空白のカードとしてある。また、ナンバーズ３の選択数字の予想には、０〜９の選択数字を１組とする３組３０枚のカード１を使用する。
【００２０】
次に、そのカード１の使用方法について説明する。先ず、ロト６宝くじの当せん番号の６個を予想する場合について説明すると、４３枚のカード１をよくシャッフルし、ストックしたカード１の上側（下側）から順番に、或いはストックしたカード１の任意の位置から６枚のカード１、１、・・を選択する。この偶然に選んだ６枚のカード１の各々に示されている６個のロト選択数字３が、ロト６の予想した当せん数字とする。
【００２１】
１〜３１の数字の中から５個の当せん数字を予想するミニロトの場合は、４３枚のカード１の中から５枚のカード１、１、・・・を上記と同様の手順で選択するが、ロト選択数字３が３２以上のカード１を選択した場合は、パスなのでトランプゲームのように捨てカード１の上に重ねて行き、ロト選択数字３が３１以下の５枚のカード１を選択する。このようにして、選択した５枚のカード１の各々に示されている５個の数字が、ミニロトの予想した当せん数字とする。なお、ロト選択数字３が３２以上の１２枚のカード１を予め抜き取り、ロト選択数字３が１〜３１の３１枚のカード１を使って予想してもよい。
【００２２】
次に、ナンバーズ４宝くじの当せん数字を予想する場合は、４３枚のカード１をよくシャッフルし、第１〜第４の各組のカード１の中から１枚のカード１を選び、選んだ４枚のカード１のナンバーズ選択数字６を予想した数字とする。この場合、４枚のカード１は第１〜第４の各組から１枚ずつ選択するが、既に選んだ組のカード１を選んだ場合はこのカード１をパスして捨てカード１の上に重ね、次のカード１を選択する。このようにして各組１枚で４組４枚のカード１を選ぶことにより、カード遊びの感覚で当せん数字の予想を楽しむことができる。
【００２３】
また、ナンバーズ３宝くじの当せん数字を予想する場合は、１組１０枚、３組３０枚のカード１の中からナンバーズ４と同様の手順で各組１枚、３組３枚のカード１を選ぶことにより、３個の当せん数字を予想するものである。この場合、４３枚のカード１全部を使って予想してもよいが、予め任意の１組のナンバーズ選択数字６（８、１０、１２）のカード１とナンバーズ選択数字が空白の３枚のカード１の１３枚のカード１は除いておき、パスの回数を少なくして使用する方が興味を持続できる。
【００２４】
このようにして、４３枚のカード１を基本にして使うことで、６個〜３個の４種類の数字選択式宝くじの抽せん数字の予想をカードゲームの感覚で決めることができる。また、確率論や予想理論によるのではなく、カード１の選択という偶然により当せん数字を予想するので、仮に予想した当せん数字が抽せん数字から外れた場合でも、予想者に抵抗感を与えることもない。
【００２５】
なお、実施の形態では１〜４３の連続数字がロト選択数字３であることを□枠の表示態様４で、０〜９の連続数字の４組がナンバーズ選択数字であることを○枠７、△枠９、◇枠１１及び☆枠１３の表示態様で区別したが、５種類の色を用いて区別してもよいし、枠と色を併用してもよいのであって、本考案において表示態様４、７、９、１１、１３は特に限定するものではない。
【図面の簡単な説明】
【００２６】
【図１】図１はカードの表面の基本構成を示す正面図である。
【図２】４３枚のカードの表面の構成を示す全体説明図である。
【図３】ロト６の当せん数字を予想する例を示す説明図である。
【図４】ナンバーズ４の当せん数字を予想する例を示す説明図である。
【符号の説明】
【００２７】
１      数字選択式宝くじ用カード
２      カード本体
２Ａ    表面
３      ロト選択数字
４、７、９、１１、１３    表示態様
６、８、１０、１２        ナンバーズ選択数字
１８    情報表示スペース
【図１】
0003139998.tif 000003
【図２】
0003139998.tif 000004
【図３】
0003139998.tif 000005
【図４】
0003139998.tif 000006
【手続補正書】
【提出日】平成20年1月10日(2008.1.10)
【手続補正１】
【補正対象書類名】実用新案登録請求の範囲
【補正対象項目名】全文
【補正方法】変更
【補正の内容】
【実用新案登録請求の範囲】
【請求項１】
偶然によって決定される６個又は５個の数字を予測するための１〜４３の連続するロト選択数字の各々を、４３枚のカード本体の各々の表面一側の対角線上に共通する表示態様で対をなして表し、偶然によって決定される４個又は３個の数字を予測するための０〜９の連続するナンバーズ選択数字を一組とし、４組の該ナンバーズ選択数字の各組の各々の数字を前記カード本体の表面他側の対角線上に前記ロト選択数字の表現態様及び他の３組の表示態様と異なる表現態様で対をなして表すことにより構成した宝くじ用カードからなり、前記ロト選択数字については、４３枚の宝くじ用カードの中から選択した６枚又は５枚のカードに表記の数字を予測した数字とし、前記ナンバーズ選択数字については、表示態様が異なる各組１０枚、４組４０枚又は３組３０枚の宝くじ用カードの中から各組毎に１枚ずつ選択した４枚又は３枚の宝くじ用カードに表記の数字を予測した数字とする数字選択式宝くじ用カード。
【請求項２】
前記カード本体の各々の表面の余白部分は、情報表示スペースにしてあることを特徴とする請求項１記載の数字選択式宝くじ用カード。
【請求項３】
前記カード本体の各々の裏面は、情報表示スペースにしてあることを特徴とする請求項１記載の数字選択式宝くじ用カード。
【手続補正２】
【補正対象書類名】明細書
【補正対象項目名】全文
【補正方法】変更
【補正の内容】
【考案の詳細な説明】
【技術分野】
【０００１】
本考案は、ロトシックス（以下、ロト６とする。）ミニロト、ナンバーズフォー（以下、ナンバーズ４とする。）、ナンバーズ  スリー（以下、ナンバーズ３とする。）の名称で呼ばれている数字選択式宝くじの抽せん数字をカードゲームの感覚で予想することのできる数字選択式宝くじ用カードに関する。
【背景技術】
【０００２】
ロト６、ミニロト、ナンバーズ４、及びナンバーズ３の数字選択式宝くじは、偶然によって抽せん数字を決める宝くじであり、くじの予想者は各自のやり方、考え方で当せん数字を選択することによって当せん数字を予測し、またこの予想する過程を楽しむ宝くじでもある。
【０００３】
しかし、当せん数字を予想する者にとって数字の選択は迷うものであり、徒に時間を使ってしまったり、前回と同じ数字を選択したりしている。そこで、当せん数字を電子的に予測する電子式予想器、カード型の予想具などが提案されている。例えば、トランプカードに数字選択式宝くじ、競馬、競輪、ｔｏｔｏサッカーくじなど、様々なくじの当り数字、競馬などにおける枠番、馬番数字の予想ができるようにした予想兼用トランプカードが提案されている（特許文献１）。
【特許文献１】特開２００６−２９７００８号公報
【考案の開示】
【考案が解決しようとする課題】
【０００４】
しかし、特許文献１に示すものは、従来のトランプカードの表面を斜め半分に区切り、トランプカード部分と、各種くじやギャンブルの選択数字部分を表して構成したもので、個々のカード本体に天地の方向があるために、シャッフルの失敗などで天地が逆になったカードが混在する事態も起き、予想する際に面倒であるし、カードを慎重に取扱わなければならないという心理的負担を与える欠点がある。
しかも、これら予想具は、宝くじの広告宣伝のための販促商品として配布したりするものでもあり、予想者にとって取扱いが面倒な点は予想具として大きなマイナスである。
【０００５】
本考案は上述した従来技術の欠点に鑑みなされたもので、トランプカードの感覚で４種類の宝くじの当せん数字を予想することができるので、楽しみながら予想するこができるし、カードに天地がないので、取扱いの面倒がない数字選択式宝くじ用カードを提供することを目的とする。
【課題を解決するための手段】
【０００６】
上述した課題を解決するために構成された本考案の手段は、偶然によって決定される６個又は５個の数字を予測するための１〜４３の連続するロト選択数字の各々を、４３枚のカード本体の各々の表面一側の対角線上に共通する表示態様で対をなして表し、偶然によって決定される４個又は３個の数字を予測するための０〜９の連続するナンバーズ選択数字を一組とし、４組の該ナンバーズ選択数字の各組の各々の数字を前記カード本体の表面他側の対角線上に前記ロト選択数字の表現態様及び他の３組の表示態様と異なる表現態様で対をなして表すことにより構成した宝くじ用カードからなり、前記ロト選択数字については、４３枚の宝くじ用カードの中から選択した６枚又は５枚のカードに表記の数字を予測した数字とし、前記ナンバーズ選択数字については、表示態様が異なる各組１０枚、４組４０枚又は３組３０枚の宝くじ用カードの中から各組毎に１枚ずつ選択した４枚又は３枚の宝くじ用カードに表記の数字を予測した数字とするものからなる。
【０００７】
そして、前記カード本体の各々の表面の余白部分は、情報表示スペースにするとよい。
【０００８】
また、前記カード本体の各々の裏面は、情報表示スペースにするとよい。
【考案の効果】
【０００９】
本考案は上述の如く構成したから、下記の諸効果を奏する。
（１）４３枚のカードにより、６個〜３個の当せん数字を予想するので、使用者は当せん数字の選択をゲーム感覚で楽しむことができるし、当せん数字の予想を選んだカードに委ねるので、迷うことなく数字を決めることができる。
（２）数字選択式宝くじは偶然によって決定される抽せん数字によって当せんが決まり、抽選数字に確率がない宝くじであるが、本考案の宝くじ用カードも４３枚のカード中から偶然の方法により当せん数字を予想するので、予想者は納得して使用することができる。
（３）カード本体の表面に、対角線上に位置してロト選択数字及びナンバーズ選択数字を対に表して構成してあり、カードに天地がないので予想者は面倒なく、また気を使うことなく取扱うことができる。
（４）カード本体の表面及び裏面は情報表示スペースとしてあるから、宝くじの申し込み方法、スポンサーや金融機関の広告、格言、キャッチフレーズなど種々の情報を表示することができ、情報伝達手段としても機能することができる。
【考案を実施するための最良の形態】
【００１０】
以下、本考案の実施の形態を図面に基づき詳述する。図１において、1、1、1、・・・は４３枚の数字選択式宝くじ用カード（以下、カード１と略称する。）で、該カード１は、４３枚のカード本体２からなり、該各カード本体２はトランプカード同様の基材である上質の硬質紙やプラスチックによって、トランプカードと略同形に成形してある。３、３、・・・は該各カード本体２の表面２Ａに、対角線上に位置する左上隅と右下隅に対に表した１〜４３の連続数字からなるロト選択数字で、全てのロト選択数字３は□枠の表示態様４で囲って表すことにより、一連の数字がロト選択数字３であることを示している。
【００１１】
６、６、・・・は、前記４３枚のカード本体２のうちの１０枚のカード本体２の表面２Ａに、対角線上に位置する右上隅と左下隅に対に表した０〜９の連続数字からなる１組のナンバーズ選択数字で、該各ナンバーズ選択数字６は○枠の表示態様７で囲って表すことにより、一連の数字が第１の組のナンバーズ選択数字６であることを示している。
【００１２】
また、８、８、・・・は、４３枚のカード本体２のうちの他の１０枚のカード本体２の表面２Ａに、前記１組のナンバーズ選択数字６と同様の位置に対に表した０〜９の連続番号からなる１組のナンバーズ選択数字で、該各ナンバーズ選択数字８は△枠の表示態様９で囲って表すことにより、一連の数字が第２の組のナンバーズ選択数字８であることを示している。
【００１３】
同様にして、１０、１０、・・・は４３枚のカード本体２のうちの更に他の１０枚のカード本体２の表面２Ａに、第１の組のナンバーズ選択数字６と同様の位置に対に表した０〜９の連続番号からなる１組のナンバーズ選択数字で、該各ナンバーズ選択数字１０は◇枠の表示態様１１で囲って表すことより、一連の数字が第３の組のナンバーズ選択数字１０であることを示している。
【００１４】
更に、１２、１２、・・・は４３枚のカード本体２のうちの更に他の１０枚のカード本体２の表面２Ａに、第１の組のナンバーズ選択数字６と同様の位置に対に表した０〜９の連続番号からなる１組のナンバーズ選択数字で、該各ナンバーズ選択数字１２は☆枠の表示態様１３で囲って表すことにより、一連の数字が第４の組のナンバーズ選択数字１２であることを示している。
【００１５】
１４は４３枚のカード本体２のロト選択数字３の下側に表したロト６表示（カード本体２にはロトシックスと表示）で、該ロト６表示１４は上の番号がロト６選択数字であることを明示している。１５は該ロト６表示１４の下側に表したミニロト表示で、該ミニロト表示１５は１〜３１までのロト選択数字を表した各カード本体２に表してある。また、１６は４組のカード本体２の各々のナンバーズ選択数字６、８、１０、１２の下側に表したナンバーズ４表示（カード本体２にはナンバーズ  フォーと表示）、１７は３組のカード本体２の各々のナンバーズ選択数字６、（８、１０、１２）について、ナンバーズ４表示１６の下側に表したナンバーズ３表示（カード本体２にはナンバーズ  スリーと表示）である。
【００１６】
そして、これら各表示１４、１５、１６、１７によって、４３枚のカード１の全てがロト６用のカード１、３１枚のカード１がミニロト用のカード１、４０枚のカード１がナンバーズ４用のカード１、そして、３０枚のカード１がナンバーズ３用のカード１であることを容易に、また正確に知ることができる。
【００１７】
１８は、各カード本体２の表面２Ａの略中央に設けた情報表示スペースで、該情報表示スペース１８は例えば数字選択式宝くじを扱う金融機関名、販売期間中でのイベントの案内、人生の格言など種々の情報を表示するスペースとして利用している。また、各カード本体２の裏面（但し、図示せず。）も、くじの説明、広告、或いはキャッチフレーズを表示する情報表示スペースとしてある。
【００１８】
かくして、本実施の形態に係る数字選択式宝くじ用カード１は４３枚で構成してあり、ロト６の選択数字の予想には１〜４３の選択数字の４３枚の全てのカード１を使用し、ミニロトの選択数字の予想には１〜３１の選択数字の３１枚のカード１を使用する。また、ナンバーズ４の選択数字の予想には、０〜９の選択数字を１組とする４組４０枚のカード１を使用するので、３枚のカード１はナンバーズ選択数字の箇所は空白のカードとしてある。また、ナンバーズ３の選択数字の予想には、０〜９の選択数字を１組とする３組３０枚のカード１を使用する。
【００１９】
次に、そのカード１の使用方法について説明する。先ず、ロト６宝くじの当せん番号の６個を予想する場合について説明すると、４３枚のカード１をよくシャッフルし、ストックしたカード１の上側（下側）から順番に、或いはストックしたカード１の任意の位置から６枚のカード１、１、・・を選択する。この偶然に選んだ６枚のカード１の各々に示されている６個のロト選択数字３が、ロト６の予想した当せん数字とする。
【００２０】
１〜３１の数字の中から５個の当せん数字を予想するミニロトの場合は、４３枚のカード１の中から５枚のカード１、１、・・・を上記と同様の手順で選択するが、ロト選択数字３が３２以上のカード１を選択した場合は、パスなのでトランプゲームのように捨てカード１の上に重ねて行き、ロト選択数字３が３１以下の５枚のカード１を選択する。このようにして、選択した５枚のカード１の各々に示されている５個の数字が、ミニロトの予想した当せん数字とする。なお、ロト選択数字３が３２以上の１２枚のカード１を予め抜き取り、ロト選択数字３が１〜３１の３１枚のカード１を使って予想してもよい。
【００２１】
次に、ナンバーズ４宝くじの当せん数字を予想する場合は、４３枚のカード１をよくシャッフルし、第１〜第４の各組のカード１の中から１枚のカード１を選び、選んだ４枚のカード１のナンバーズ選択数字６を予想した数字とする。この場合、４枚のカード１は第１〜第４の各組から１枚ずつ選択するが、既に選んだ組のカード１を選んだ場合はこのカード１をパスして捨てカード１の上に重ね、次のカード１を選択する。このようにして各組１枚で４組４枚のカード１を選ぶことにより、カード遊びの感覚で当せん数字の予想を楽しむことができる。
【００２２】
また、ナンバーズ３宝くじの当せん数字を予想する場合は、１組１０枚、３組３０枚のカード１の中からナンバーズ４と同様の手順で各組１枚、３組３枚のカード１を選ぶことにより、３個の当せん数字を予想するものである。この場合、４３枚のカード１全部を使って予想してもよいが、予め任意の１組のナンバーズ選択数字６（８、１０、１２）のカード１とナンバーズ選択数字が空白の３枚のカード１の１３枚のカード１は除いておき、パスの回数を少なくして使用する方が興味を持続できる。
【００２３】
このようにして、４３枚のカード１を基本にして使うことで、６個〜３個の４種類の数字選択式宝くじの抽せん数字の予想をカードゲームの感覚で決めることができる。また、確率論や予想理論によるのではなく、カード１の選択という偶然により当せん数字を予想するので、仮に予想した当せん数字が抽せん数字から外れた場合でも、予想者に抵抗感を与えることもない。
【００２４】
なお、実施の形態では１〜４３の連続数字がロト選択数字３であることを□枠の表示態様４で、０〜９の連続数字の４組がナンバーズ選択数字であることを○枠７、△枠９、◇枠１１及び☆枠１３の表示態様で区別したが、５種類の色を用いて区別してもよいし、枠と色を併用してもよいのであって、本考案において表示態様４、７、９、１１、１３は特に限定するものではない。
【図面の簡単な説明】
【００２５】
【図１】図１はカードの表面の基本構成を示す正面図である。
【図２】４３枚のカードの表面の構成を示す全体説明図である。
【図３】ロト６の当せん数字を予想する例を示す説明図である。
【図４】ナンバーズ４の当せん数字を予想する例を示す説明図である。
【符号の説明】
【００２６】
１      数字選択式宝くじ用カード
２      カード本体
２Ａ    表面
３      ロト選択数字
４、７、９、１１、１３    表示態様
６、８、１０、１２        ナンバーズ選択数字
１８    情報表示スペース